(57)【要約】【課題】  情報を確実にやり取りできる、外部通信機器と連携する車載機器又は通信装置を提供する。【解決手段】  車載機器又は通信装置、及び車載機器又は通信装置に外部通信機器から受信した音声情報を送信する情報仲介装置を有し、情報仲介装置は外部通信機器から送信された音声情報を保存する記憶部を備え、車載機器又は通信装置からの問い合わせ信号に応答して記憶部に保存された音声情報を車載機器又は通信装置に送信する。また、情報仲介装置は車載機器又は通信装置から送信された音声情報を保存する記憶部を備え、外部通信機器からの問い合わせ信号に応答して記憶部に保存された音声情報を外部通信機器に送信する。【選択図】      図２
2006157125.tif 000002
【特許請求の範囲】
【請求項１】
外部通信機器から受信した音声情報を保存する情報仲介装置へ問い合わせを行う問い合わせ手段と、該問い合わせにより前記情報仲介装置に保存された前記音声情報を受信する受信手段と、音声解析部を有し、該音声解析部は前記情報仲介装置から送信された音声情報に連携情報が存在するかどうか判断し、存在する場合には該連携情報の種類を判断する判断手段を備えたことを特徴とする車載機器。
【請求項２】
前記音声による連携情報をデータ変換するデータ変換部を備えたことを特徴とする、請求項１に記載の車載機器。
【請求項３】
前記連携情報が電話番号であると判断された場合、前記データ変換された電話番号を記憶部に登録する登録手段を備えたことを特徴とする、請求項２に記載の車載機器。
【請求項４】
前記連携情報が伝言者名であると判断され、該伝言者の電話番号が予め記憶部に登録されている場合、該伝言者に発信する発信手段を備えたことを特徴とする、請求項２に記載の車載機器。
【請求項５】
地図情報データベースを備えたナビゲーション部を備え、前記連携情報が位置を示す情報である場合、該位置を表示装置に表示した地図上にアイコンで表示する表示手段を備えたことを特徴とする、請求項２に記載の車載機器。
【請求項６】
地図情報データベースを備えたナビゲーション部を備え、前記連携情報が位置を示す情報である場合、該位置を目的地に設定する目的地設定手段を備えたことを特徴とする、請求項２に記載の車載機器。
【請求項７】
地図情報データベースを備えたナビゲーション部を備え、前記連携情報が位置を示す情報である場合、該位置を該位置の名称又は該位置に存在する施設名とともに記憶部に保存する保存手段を備えたことを特徴とする、請求項２に記載の車載機器。
【請求項８】
現在位置データを取り出す現在位置取得手段と地図情報データベースを備えたナビゲーション部、前記現在位置データを音声に変換するデータ変換部を備え、該変換された音声を送信する送信手段を備えたことを特徴とする、請求項７に記載の車載機器。
【請求項９】
目的地データを取り出す目的地取得手段、該目的地への到着予想時間を計算する目的地到着予想時間計算手段、及び地図情報データベースを備えたナビゲーション部、前記目的地データ及び該目的地への到着予想時間を音声に変換するデータ変換部を備え、該変換された音声を送信する送信手段を備えたことを特徴とする、請求項７に記載の車載機器。
【請求項１０】
記憶部に保存されたユーザのスケジュールを取り出すデータ制御部、該ユーザのスケジュールを音声に変換するデータ変換部を備え、該変換された音声を送信する送信手段を備えたことを特徴とする、請求項７に記載の車載機器。
【請求項１１】
外部通信機器から受信した音声情報を保存する情報仲介装置へ問い合わせを行う問い合わせ手段と、該問い合わせにより前記情報仲介装置に保存された前記音声情報を受信する受信手段と、音声解析部を有し、該音声解析部は前記情報仲介装置から送信された音声情報に連携情報が存在するかどうか判断し、存在する場合には該連携情報の種類を判断する判断手段を備えたことを特徴とする通信装置。
【発明の詳細な説明】
【技術分野】
【０００１】
本発明は、留守番電話サービスや伝言サービスと連携し、例えば、車両に搭載された車載機器に伝言等を送信し、送信された伝言等の情報を車載機器で利用できるようにする車載機器及び通信装置に関する。
【背景技術】
【０００２】
携帯電話等で留守番電話サービスや伝言サービスを利用して相手からの情報を得たとき、これらの情報を車載機器に取り込むためには、自ら情報の内容を理解して車載機器に入力し、あるいは情報を選択する等の操作をユーザは行わなければならない。また、相手にメッセージを送る場合、メーッセージを作成して車載機器に入力し、送信しなければならない。このような操作を車両の走行中に行うことは危険であり、停止して行う場合も入力操作に手間がかかってしまう。
【０００３】
車両運転中に携帯電話等の移動体電話に電話がかかってきた場合、これに応答するには危険が伴う。そのため、ナビゲーション装置において自動応答手段を備え、運転中にかかってきた電話に対して自動的に応答し、自動応答通知手段によって、自動応答中や自動応答終了後にその旨を運転者に通知するナビゲーション装置が開示されている（特許文献１）。
上記ナビゲーション装置では、自動応答終了後に相手の電話番号や氏名・名称等を含む発信元情報を表示して電話をかけてきた相手が誰であるか把握できるようにしている。
【０００４】
また、無線呼び出し装置に呼び出しがあったときに、メッセージから電話番号を抽出し、該抽出された電話番号と電話番号リストメモリ中の電話番号と比較し、一致するものがあればその電話番号と共に氏名を表示部に表示し、ダイヤル信号発信部からプッシュ式ダイヤル信号を発信する無線呼出装置が開示されている（特許文献２）。
【０００５】
また、電話番号案内センターから提供される電話番号の音声情報を電話番号信号に変換し、記憶装置の記憶内容から電話番号信号に対応する地点データを読み出す機能を有した地点データ検索システムが開示されている（特許文献３）。
【０００６】
また、車両の現在地と目的地を入力し、到着予定時刻を算出してメッセージを生成し、到着予定時刻を知りたい相手に対して到着予定時刻を自動的に提供する到着予定時刻提供装置が開示されている（特許文献４）。
【０００７】
【特許文献１】特開平１１−８８５２５号公報
【０００８】
【特許文献２】特開平７−１４３５３８号公報
【０００９】
【特許文献３】特開平９−６８００号公報
【００１０】
【特許文献４】特開２００３−３０２２４５号公報
【発明の開示】
【発明が解決しようとする課題】
【００１１】
上記従来例の場合、特定の情報の入手や送信を行っているが、多種多様な情報のやり取りを自動的に又は簡単な操作で行うことは提案されていない。
そこで本発明では、留守番電話サービスや伝言サービス等の情報仲介装置と車載機器又は通信装置を連携し、留守番電話サービスや伝言サービスを利用して相手からの情報を得たとき、これらの情報を車載機器又は通信装置に自動的に取り込み、必要な情報を記憶装置に保存し、相手に対して必要な応答を留守番電話サービスや伝言サービスを介して行い、あるいは相手に対して簡単な操作で情報を提供でき、車両走行中でも安全に情報をやり取りできる装置を提供することを目的とするものである。
【課題を解決するための手段】
【００１２】
本発明による車載機器又は通信装置は、外部通信機器から受信した音声情報を保存する情報仲介装置へ問い合わせを行う問い合わせ手段と、該問い合わせにより前記情報仲介装置に保存された前記音声情報を受信する受信手段と、音声解析部を有し、該音声解析部は前記情報仲介装置から送信された音声情報に連携情報が存在するかどうか判断し、存在する場合には該連携情報の種類を判断する判断手段を備えている。
【００１３】
また、車載機器又は通信装置は、音声による連携情報をデータ変換するデータ変換部を備えている。
また、連携情報が電話番号であると判断された場合、データ変換された電話番号を記憶部に登録する登録手段を備えている。
また、連携情報が伝言者名であると判断され、該伝言者の電話番号が予め記憶部に登録されている場合、該伝言者に発信する発信手段を備えている。
また、地図情報データベースを備えたナビゲーション部を備え、前記連携情報が位置を示す情報である場合、該位置を表示装置に表示した地図上にアイコンで表示する表示手段を備えている。
また、地図情報データベースを備えたナビゲーション部を備え、前記連携情報が位置を示す情報である場合、該位置を目的地に設定する目的地設定手段を備えている。
また、地図情報データベースを備えたナビゲーション部を備え、前記連携情報が位置を示す情報である場合、該位置を該位置の名称又は該位置に存在する施設名とともに記憶部に保存する保存手段を備えている。
【００１４】
また、現在位置データを取り出す現在位置取得手段と地図情報データベースを備えたナビゲーション部、前記現在位置データを音声に変換するデータ変換部を備え、該変換された音声を送信する送信手段を備えている。
また、目的地データを取り出す目的地取得手段、該目的地への到着予想時間を計算する目的地到着予想時間計算手段、及び地図情報データベースを備えたナビゲーション部、前記目的地データ及び該目的地への到着予想時間を音声に変換するデータ変換部を備え、該変換された音声を送信する送信手段を備えている。
また、記憶部に保存されたユーザのスケジュールを取り出すデータ制御部、該ユーザのスケジュールを音声に変換するデータ変換部を備え、該変換された音声を送信する送信手段を備えている。
【発明の効果】
【００１５】
本発明によれば、車載機器又は通信装置と外部通信機器を伝言サービス等の情報仲介装置を介して連携しているので、相手から情報を得たとき、これらの情報を車載機器又は通信装置に自動的に取り込み、必要な情報を保存し、相手に対して必要な応答を簡単な操作で行うことができる。
また、トンネル等の電波の届かない場所を走行中に相手から伝言等が送信された場合でも、電波状態が良好になった時点で問い合せを行って伝言等を受信でき、また相手に応答することができる。
【発明を実施するための最良の形態】
【００１６】
図１は本発明による車載機器又は通信装置と外部通信機器との連携装置の構成を示すブロック図である。なお、ここでは車載機器を例にとって説明する。
図１において、１０は車載機器（又は通信装置）で、システム制御部１を有し、該システム制御部１はナビゲーション部２、音声解析部３、データ制御部４、通信制御部５を有している。前記ナビゲーション部２は地図情報データベース２１を備え、音声解析部３は言語辞書３１及び波形辞書３２を備え、データ制御部４は記憶部４１を備えている。システム制御部１は表示部６及び入力部７を備えており、また表示部６と入力部７は接続されている。
【００１７】
８は留守番電話、伝言サービスセンター等の情報仲介装置で、携帯電話９等の外部通信機器から受信した伝言、施設の名称、位置等の情報を送信先の車載機器１０に送信する。送信された情報等は通信制御部５の送受信部５１で受信され、通信制御部５に送られる。情報仲介装置８は、携帯電話９等から送信された情報を音声データ記憶装置８１の音声データ記憶部（８１ａ、８１ｂ、８１ｃ、--- ）に保存し、適宜車載機器１０に送信する。また、車載機器から情報が送信されてきたときには、これらを記憶装置８１の記憶部（８１ａ、８１ｂ、８１ｃ、--- ）に記憶し、適宜携帯電話９等の外部通信機器に送信する。
【実施例１】
【００１８】
図２は本発明による実施例の動作を示すフローチャートである。図２に示す動作の制御は図１のシステム制御部によって行われる。図２に示すフローチャートについて以下に説明する。
図２のフローチャートにおいて、車載機器１０の送受信部５１から情報仲介装置８に問い合わせをする（Ｓ１）。この問い合わせは、ユーザが予め設定しておくことにより、システム制御部１に設けられた問い合わせ手段によって、送受信部５１から情報仲介装置８に所定時間間隔で問い合わせ信号を自動的に送信して行うことができる。また、ユーザが問い合わせをしたいときに、入力部７を操作して問い合わせ手段を動作させ、問い合わせ信号を送受信部５１から発してもよい。
【００１９】
次に、用件が存在するかどうか判断される（Ｓ２）。車載機器１０に対する情報が携帯電話９等から送信されておらず、記憶装置８１に記憶されていない場合には用件は存在しないため（Ｎｏ）、フローは終了する。
一方、車載機器１０に対する情報が携帯電話９等から送信されており、送信内容が記憶装置８１に保存されている場合には（Ｙｅｓ）、問い合わせ信号に応答して情報仲介装置８から車載機器１０に情報が送信される（Ｙｅｓ）。
情報仲介装置８から送信された情報は送受信部５１で受信され、通信制御部５からシステム制御部１を介してデータ制御部４に送られ、記憶部４１に保存される（Ｓ３）。
【００２０】
記憶部４１に保存された情報は、データ制御部４及びシステム制御部１を介して音声解析部３に送られ、言語辞書３１や波形辞書３２を用いて音声による伝言等の情報の解析が行われ（Ｓ４）、連携情報が含まれているかどうか判断される（Ｓ５）。この判断は音声解析部３が有する判断手段により行われる。本発明において連携情報とは、車載機器１０のユーザに直接又は間接に関連した情報である。連携情報であるかどうかは、例えば、音声解析部に予め言語のキーワードを記憶させておき、これらのキーワードにヒットする言語があれば、連携情報が含まれていると判断する。連係情報が含まれていなければ（Ｎｏ）、フローは終了する。
【００２１】
一方、連携情報が含まれている場合（Ｙｅｓ）、連携情報の種類を音声解析部の判断手段３で判別する（Ｓ６）。判別の結果、連係情報が電話番号である場合にはＳ７に進みデータ変換される（Ｓ７）。データ変換はデータ制御部４で行われ、音声による電話番号を受信した場合には、該電話番号がバイナリーデータに変換される。次に、バイナリーデータの電話番号が車載機器１０の記憶部４１に記憶されているユーザのアドレス帳に登録されていないかどうか判断される（Ｓ８）。アドレス帳に登録されていなければ（Ｙｅｓ）、当該電話番号のデータが、データ制御部４に設けられた登録手段によりアドレス帳に登録される（Ｓ９）。一方、当該電話番号のデータがアドレス帳に登録されていれば（Ｎｏ）、フローは終了する。
【００２２】
連携情報の種類を判別した結果（Ｓ６）、伝言をした者の名前である場合にはＳ１０に進みデータ変換される（Ｓ１０）。データ変換はデータ制御部４で行われ、音声による伝言者名を受信した場合には、該伝言者名がバイナリーデータに変換される。次に、バイナリーデータに変換された伝言者名が車載機器の記憶部４１に記憶されているユーザのアドレス帳に登録されているかどうか判断される（Ｓ１１）。当該伝言者名のデータがアドレス帳に登録されていれば（Ｙｅｓ）、ユーザはアドレス帳に登録されている伝言者の電話番号に、通信制御部５に設けられた発信手段によって送受信部５１を介して発信し、伝言に対して応答する（Ｓ１２）。この応答は、車載機器１０の入力部７から音声により入力し、送受信部５１を介して情報仲介装置８に伝言者へのメッセージ等を発信する。発信されたメッセージ等は情報仲介装置８の記憶装置８１に保存され、情報仲介装置に伝言者から問い合わせ信号が発せられたときに、該伝言者に送信される。又は、車載機器１０の送受信部５１から直接伝言者の携帯電話９等の外部通信機器に送信することもできる。
【００２３】
連携情報の種類を判別した結果（Ｓ６）、住所や施設の名称である場合にはＳ１３に進む。音声で受信された住所や施設はバイナリデータに変換される。そして、該バイナリデータに基きナビゲーション部２により地図情報データベース２１から当該住所や施設が存在する場所を含む地図を取り出し、表示部６に表示された地図上にその場所をアイコンで表示する（Ｓ１３）。なお、当該住所や施設が存在する場所は、住所、名称、施設名等に基いてナビゲーション部で検索する。そして、必要であればユーザはアイコンで表示された地点を、データ制御部４に設けられた保存手段により記憶部４１に登録し保存する（Ｓ１４）。この登録は入力部７に備えられた釦等を押すか、表示された地図上のアイコンの位置をタッチすることによって行うことができる。上記登録操作によって、当該住所や施設の位置が緯度及び経度で表わされ、その位置の名称又はその位置に存在する施設名とともに記憶部４１に保存される。これにより、次回から前記住所の地点や施設が存在する地点を地図上に表示することができる。
【００２４】
次に、上記アイコンで表示した住所や施設を目的地として設定するかどうかを判断する（Ｓ１５）。ユーザが事前に上記地点を目的地に設定するよう入力部７から入力しておけば（Ｙｅｓ）、ナビゲーション部２に設けられた目的地設定手段により、上記地点が目的地として設定される（Ｓ１６）。前記登録された住所や施設を目的地に設定すれば、ナビゲーション部２が現在地から設定した目的地までの経路を探索し、表示部に地図とともに経路を表示するので、当該経路案内に従って走行すれば目的地に達することができる。
【００２５】
例えば、互いに別々の地点から出発し、途中で合流する場所を決めるような場合、本発明によれば、上記のように走行中に得た相手からの伝言等の情報を基に合流する場所を決めることができ、さらにその場所まで経路案内してくれる。
一方、目的地の設定をしない場合には（Ｎｏ）そのまま終了する。
【実施例２】
【００２６】
図３は、図２の場合とは反対に、車載機器１０のユーザが相手に伝言や情報を伝えるために、伝言や情報を登録する場合の本発明による実施例の動作を示すフローチャートである。
図３において、ユーザが伝言や情報を登録する要求があるかどうか判断される（Ｓ１）。ユーザが入力部７から登録要求を入力している場合、要求有りと判断される（Ｙｅｓ）。一方、登録要求がされていない場合には（Ｎｏ）、フローは終了する。
【００２７】
例えば、ユーザが車両の現在位置を相手に知らせたい場合には、入力部が備える現在位置釦を押せば登録要求有りと判断され、ナビゲーション部の現在位置取得手段により、例えばバイナリーデータの形態となっている現在位置の住所データが取り出され、該データが音声解析部３により音声データに変換される（Ｓ２）。そして、該音声データは送受信部５１から情報仲介装置８に発信され（Ｓ３）、情報仲介装置８の音声データ記憶装置８１に音声データで保存される（Ｓ４）。なお、車両が走行中のときには現在位置が刻々と変化するが、最初に現在位置釦を押しておけば走行中であっても現在位置を所定時間間隔（例えば、０．５秒間隔）で情報仲介装置８に送信するように設定することもできる。
【００２８】
また、ナビゲーションによって経路の案内中であって、設定された目的地を登録したい場合には入力部７に設けられた目的地取得釦を押せば、該目的地の住所、施設名等のデータが取得され、さらにナビゲーション部２に設けられた目的地到着予想時間計算手段によって、距離と予定走行速度から目的地までの到着予想時間が計算され、取得した目的地データ及び目的地までの到着予想時間が音声データに変換され情報仲介装置８に発信され（Ｓ３）、該音声データが情報仲介装置８の音声データ記憶装置８１に登録される（Ｓ４）。
なお、目的地を登録するためには、目的地設定釦を押す他にも、例えば目的地の施設名、住所等を音声で入力部７に入力し、音声データを送受信部５１から情報仲介装置８に発信することもできる。また、その他任意の方法で登録することができる。
【００２９】
また、車載機器にカレンダー機能を用いて設定され記憶部に保存されたユーザのスケジュールを、音声解析部３で音声データに変換して情報仲介装置８に発信して登録しておけば、相手から仲介情報装置８に電話があったときに自動的にユーザのスケジュールを相手に送信してくれる。
例えば、○月○日○○時〜○○時はＡ地点（住所、又は施設名等）、△月△日△△時〜△△時はＢ地点（住所、又は施設名等）のようなスケジュールのデータを音声データに変換し、情報仲介装置８に送信して登録しておけば、相手は情報仲介部に電話をすることによってユーザの居場所を知ることができる。
なお、実施例では車載機器を例に取って説明したが、一般の家庭やオフィスで使用される携帯用を含む通信装置にも本発明を適用することができる。
【図面の簡単な説明】
【００３０】
【図１】本発明による車載機器又は通信装置と外部通信機器との連携装置の構成を示すブロック図である。
【図２】本発明による実施例１の動作を示すフローチャートである。
【図３】本発明による実施例２の動作を示すフローチャートである。
【符号の説明】
【００３１】
１    システム制御部
２    ナビゲーション部
２１    地図情報ＤＢ
３    音声解析部
３１    言語辞書
３２    波形辞書
４    データ制御部
４１    記憶部
５    通信制御部
５１    送受信部
６    表示部
７    入力部
８    情報仲介装置
８１    音声データ記憶装置
８１ａ、８１ｂ、---    音声データ記憶部
９    携帯電話等の外部通信機器
１０    車載機器又は通信装置
【図１】
2006157125.tif 000003
【図２】
2006157125.tif 000004
【図３】
2006157125.tif 000005